(57)【要約】  本発明は、収容物をパッケージして輸送するための、通常は平行六面体形状である段ボール箱に関し、箱は、前壁、後壁、側壁および上部を含む横方向のcan-bandカートンによって形成される蓋と、それぞれに第一のフラップが設けられた四つの主側を含む中央パネルを含む底面部を形成するトレイとを含む。前壁及び後壁（３、４；Ｐ、３５、３７；７８）がＵ字型であり、上部によって中央開口（２２、５０、７９）をそれぞれ画定し、ユーザが側面から及び／又は上から箱の内部の収容物を手で掴み取ることが可能になる。一つ又は複数の部分的なプレカット部及び／又は一つ又は複数の結合点によって、壁に垂直に加えられた力の結果として得られる手作業での分離によって、蓋の壁をトレイの第一のフラップから取り外すことが可能になる。
2008543686.tif 000002
【特許請求の範囲】
【請求項１】
前壁（３、３５）、後壁（４、３７）、側壁（５、６；３７、４１）および上部を含む側面帯（２、２３）によって形成される蓋と、それぞれに第一のフラップ（１０、５４）が設けられた四つの主側を有する中央パネル（９、５１）を含む底面部を形成するトレイ（８）とを含み、収容物を梱包及び輸送するための段ボールシートで作られた通常は平行六面体形状の、箱（１、３１、６５、７２）であって、
前壁及び後壁（３、４；Ｐ、３５、３７；７８）がＵ字型であり、上部と共にそれぞれが中央開口（２２、５０、７９）を画定して、特に、ユーザが側面から及び／又は上部から箱の内部の収容物を手で掴むことが可能になり、
前記トレイに対面する二つの第一のフラップ（１０、５４）が、その側端のそれぞれに、第一の隣接するフラップにそれぞれ固定されて、前記トレイを形成するタブ（１０’、５６）を含み、
蓋の前壁、後壁又は側壁の少なくとも一つが、壁に垂直な力を加えることによって得られる分離のための手作業で蓋の壁とトレイの第一のフラップとの間の分離を可能にする、一つ以上の部分的なプレカット部（Ｐ）及び／又は一つ以上の接着部（Ｃ、６３）によって、トレイの第一の対応する側面フラップに固定されるだけである
ことを特徴とする箱。
【請求項２】
前壁及び後壁が、対応する開口（５０）の中間又はほぼ中間に位置付けられた水平な補強バー（２５）を含むことを特徴とする、請求項１記載の箱。
【請求項３】
前記部分的なプレカット部（Ｐ）又は接着部（Ｃ）が、全部で少なくとも二つであり、箱の側壁の両側にそれぞれ位置付けられることを特徴とする、請求項１又は２のいずれか一項記載の箱。
【請求項４】
前壁（３５）、後壁（３９）及び側壁（３７、４１）が、カットされた角を有する八面の箱を形成する中間壁（３６、３８、４０、４３）によって互いに分離されることを特徴とする、請求項１〜３のいずれか一項記載の箱。
【請求項５】
蓋が、トレイの内部に重ね合わせられることを特徴とする、請求項１〜４のいずれか一項記載の箱（１、３１、６５、７２）。
【請求項６】
部分的なプレカット部の一つまたはいくつかが、トレイの一部であることを特徴とする、請求項１〜５のいずれか一項記載の箱。
【請求項７】
部分的なプレカット部の一つまたはいくつかが、開放線に沿ってプレカットされることを特徴とする、請求項１〜６のいずれか一項記載の箱。
【請求項８】
部分的なプレカット部の一つまたはいくつかが、閉塞線に沿ってカットされることを特徴とする、請求項１〜７のいずれか一項記載の箱。
【請求項９】
蓋が、平行な折り線（７）及び端部接着タブ（７’）によってそれぞれ互いに連結された、壁を形成する少なくとも四枚のパネル（３、３５；４、３７；５、６；３７、４１）を含み、箱の上部が、自由なプラットフォーム構成の縦縁を有し、Ｕ字型のオープンワークを有する二つの対向する第二のフラップ（１２、１３；２９；４４、４６）を含み、ブランチの端部が対応する前壁及び後壁のＵ字のブランチの端部に連結されることを特徴とする、請求項１〜８のいずれか一項記載の箱。
【請求項１０】
第二のオープンワークフラップが、その側端に、対向圧力突出部（６０）を含むことを特徴とする、請求項９記載の箱。
【請求項１１】
第二のフラップ（２９）が、その側端に、対面する側壁に接着される第二のタブ（６０）を含むことを特徴とする、請求項９記載の箱。
【請求項１２】
箱の上部が、側壁の上部縁に連結され、第二のフラップに接着されて前記上部を形成する第三のフラップ（１７、４７）をさらに含むことを特徴とする、請求項９〜１１のいずれか一項記載の箱。
【請求項１３】
蓋が、３つのパネルを含み、すなわち、箱の蓋の上面を形成する中央矩形パネル（７５）が、折り線によって、箱の前壁及び後壁を少なくとも部分的に形成する二つの側面パネル（７８）に側面側で連結され、前記側面パネル及び／又は前記中央パネルが、特に、前記側壁を少なくとも部分的に形成するため、四つのフラップ（８０、８１、８２）を両側に備えることを特徴とする、請求項１〜８のいずれか一項記載の箱。
【請求項１４】
各側壁が取っ手（８４）を含むことを特徴とする、請求項１〜１３のいずれか一項記載の箱。
【請求項１５】
二枚の独立した内部強化側面パネル（９４）をさらに含み、特に、側壁の内面と接触して連係し、前記箱の垂直方向の耐性を強化することを特徴とする、請求項１〜１４のいずれか一項記載の箱。
【請求項１６】
少なくとも二つの段ボールのブランクを、すなわち、
固定タブ（７’）が末端をなし、かつ第一の折り線（７）によって互いに平行に連結される少なくとも四つの一連の主フラップ、すなわち前面フラップ（３、３５）、後面フラップ（４、３７）及び二つの側面フラップ（５、６；３７、４１）を含む、特に箱の蓋を形成するための第一のブランクであって、前記一連のフラップが、箱の外壁を形成し、前記第一の折り線に対して垂直な第二の折り線によって一辺において一連のフラップに連結され、前記一連のフラップが、特に箱の上部を少なくとも部分的に形成するためのものであり、対応する側面フラップの上縁にそれぞれ連結される二つの対向する第二のプラットフォーム構成のフラップ（１２、１３；２９；４４、４６）を含むものである第一のブランクと、
その側部に第一のフラップ（１０、５４）が設けられた中央パネル（９、５１）を含み、トレイの形状で前記箱の底面部を形成する第二のブランクと
を含む、収容物を梱包及び輸送するための箱を形成するためのブランクのセットであって、
前面フラップ及び後面フラップ（３、４；３５、３７；７８）がＵ字型であり、上部によって中央開口（２２、５０、７９）をそれぞれ画定し、特に、ユーザが側面から及び／又は上部から箱の内部の収容物を手で掴むことが可能になり、
前記第二のブランクに対面する二つの第一のフラップが、その側端のそれぞれに、第一の隣接するフラップにそれぞれ固定されて前記トレイを形成するように意図されたタブを含み、
蓋の前壁、後壁又は側壁の少なくとも一つが、壁に垂直な力を加えることによって得られる分離のための手作業で蓋の壁とトレイの第一のフラップとの間の分離を可能にする、一つ以上の部分的なプレカット部（Ｐ）及び／又は一つ以上の接着部（Ｃ）によって、トレイの第一の対応する側面フラップに固定されるだけのように構成される
ことを特徴とするセット。
【請求項１７】
前面パネル及び後面パネルが、対応する開口（５０）の中間又はほぼ中間に位置付けられた中央補強バー（２５）を含むことを特徴とする、請求項１６記載のセット。
【請求項１８】
前記部分的なプレカット部（Ｐ）が、全部で少なくとも二つであり、箱の側壁の両側にそれぞれ位置付けられることを特徴とする、請求項１６又は１７記載のセット。
【請求項１９】
第二のブランクの第一のフラップの一つまたはいくつかが、最終的に接合される前に、箱を形成して確定された寸法の容積の周囲に巻かれることによって、前記第一のブランクに固定されるように構成されることを特徴とする、請求項１６〜１８のいずれか一項記載のセット。
【請求項２０】
第一のブランクが、八つのフラップ、すなわち、特に箱のカットされた角を形成するための中間フラップ（３６、３８、４０、４３）によって互いに分離される四つの主フラップ（３５、３７、３９、４１）を有することを特徴とする、請求項１６〜１９のいずれか一項記載のブランクのセット。
【請求項２１】
段ボールではないか又は段ボールであるシート素材の少なくとも二つのブランクから、すなわち、
固定タブが末端をなし、第一の折り線によって互いに平行に連結される、少なくとも四つの一連の主フラップを含む第一のブランクであって、前記一連のフラップが箱の外壁を形成し、かつ前記第一の折り線に対して垂直な第二の折り線によって一辺において一連のフラップに連結され、前記一連のフラップが、前記箱の上部を形成するものである第一のブランクと、
第三の折り線によって互いに連結された少なくとも二枚のパネル、すなわち第一のパネル及び一つ以上の第二のパネルを含み、底トレイの形状で前記箱の底面を形成する第二のブランクとから、
多角形断面のパッケージ用箱を製造するための方法であって、
箱が、確定された容積（９３）の周囲にブランクを巻くことによって形成され、二枚の強化シートが、マンドレル上にぴったりと配置され、その後、マンドレルを、製作されるパッケージ内に挿入して、前記マンドレルを取り除くことにより、前記箱内部に強化部として残されることを特徴とする方法。
【発明の詳細な説明】
【技術分野】
【０００１】
発明の分野
本発明は一般に、段ボールシート製であり、対象物をパッケージして輸送するための、平行六面体形状の箱に関し、この箱は、前壁、後壁、側壁及び上部を含む側面帯によって形成された蓋と、それぞれに第一のフラップが設けられた四つの主側を有する中央パネルを含む底面部を形成するトレイとを含む。
【０００２】
本発明はさらに、そのような箱を形成するための、ブランクのセットに関する。
【０００３】
本発明は特に、店舗で、パレットの上に直接商品をディスプレイし、そのようにして余分な中間取扱及び保管費用を回避するために用いられる箱の分野に適用可能である。
【０００４】
特に、このタイプのパッケージは、パレットの少なくとも二つのアクセス可能な前後面で、消費者が、箱の位置に関わりなく、製品に容易かつ便利にアクセスすることが可能になる。
【０００５】
発明の背景
パレットに配列されたパッケージ内部の製品への直接のアクセスを可能にする装置が既知である。
【０００６】
しかし、そのような装置は満足のいくものではない。実際には、たいていの場合、壁の一部を切り離して、製品にアクセスできるようにする必要がある。さらに、オープンワークのトレイの場合、後者には堅さがなく、パレット上に及び／又はかなりの段数の段上に、重量のある製品を保管することができない。
【０００７】
発明の概要
本発明は、これらの欠点を克服することを目的とする。
【０００８】
このために、前壁、後壁、側壁および上部を含む側面帯によって形成される蓋と、それぞれに第一のフラップが設けられた四つの主側を有する中央パネルを含む底面部を形成するトレイとを含む、、収容物をパッケージして輸送するための段ボールシートで作られた通常は平行六面体形状の箱であって、前壁及び後壁がＵ字型であり、上部と共にそれぞれが中央開口を画定して、特に、ユーザが側面及び／又は上部から箱の内部の収容物を手で掴むことが可能になり、トレイに対面する二つの第一のフラップが、その側端のそれぞれに、第一の隣接するフラップにそれぞれ固定されて、前記トレイを形成するタブを含み、蓋の前壁、後壁又は側壁の少なくとも一つが、壁に垂直な力を加えることによって得られる手作業での分離による蓋の壁とトレイの第一のフラップとの間の分離を可能にする、一つ以上の部分的なプレカット部及び／又は一つ以上の接着部によって、トレイの第一の対応する側面フラップに単に固定されることを特徴とする箱を、基本的に提案する。
【０００９】
そのような箱により、ユーザは、側壁帯と底面部との間で異なるグレードのボール紙を使用することが可能になる。たとえば、底面部は座屈に耐えるのみでよいため、底面部を、圧縮に耐える必要がある壁面よりも強度が低いボール紙から作ることができる。
【００１０】
本発明により、箱の二つの主面から商品へアクセスして、パレットの前後で製品を取ることが可能になる。さらに、蓋から分離されたトレイ上でのディスプレイパック機能とともに又はそれなしで、組み合わせて使用することが考慮される。
【００１１】
消費者は、トレイから又はオープンワーク面を介して、パレットの全ての段から自由に取り出すことができる。
【００１２】
本発明により、結果として、パレット自体の上で製品を瞬時にかつ直接入手でき、組み立て品を設置するために必要とされる作業は、輸送中にパッケージの周囲に用いられたプラスチックフィルムを取り除くことのみであり、必要であれば、また必要である限り、蓋とトレイを分離するような簡易な横方向への分離により、蓋を取り除くことである。
【００１３】
本発明のパッケージは、完全に積み重ねることができ、良好な圧縮耐性を有する。箱の蓋は容易に着脱可能であり、これにより、パレット自体の上又は直線的な棚の上においてディスプレイパック機能が可能になる。
【００１４】
有利な実施態様では、以下の構成の一つ及び／又はその他が使用される。
−  前壁及び後壁は、対応する開口の中間又はほぼ中間に位置付けられた、有利なことには切り離し可能な水平な補強バーを含む。
−  部分的なプレカット部又は接着部は、全部で少なくとも二つであり、箱の側壁の両側にそれぞれ位置付けられる。
−  前壁、後壁及び側壁は、カットされた角を有する八面の箱を形成する中間壁によって互いに分離される。
−  蓋は、トレイの内部に重ね合わせられる。
−  部分的なプレカット部の一つまたはいくつかは、トレイの一部である。
−  部分的なプレカット部の一つまたはいくつかは、開放線に沿ってプレカットされる。
−  部分的なプレカット部の一つまたはいくつかは、閉塞線に沿ってカットされる。
−  蓋は、平行な折り線及び端部接着タブによってそれぞれ互いに連結された、壁を形成する少なくとも四枚のパネルを含み、箱の上部は、自由なプラットフォーム構成の縦縁を有し、Ｕ字型のオープンワークを有する二つの第二の対向するフラップを含み、ブランチの端部は、対応する前壁及び後壁のＵ字のブランチの端部に連結される。
−  第二のオープンワークフラップは、その横端に、対向圧力突出部を含む。
−  第二のフラップは、その側端に、対面する側壁に接着された第二のタブを含む。
−  箱の上部は、側壁の上部縁に連結され、第二のフラップに接着されて上部を形成する第三のフラップをさらに含む。
−  蓋は、３つのパネルを含み、すなわち、箱の蓋の上面を形成する中央矩形パネルは、折り線によって、箱の前壁及び後壁を少なくとも部分的に形成する二つの側面パネルに連結され、側面パネル及び／又は中央パネルが、特に、側壁を少なくとも部分的に形成するための四つのフラップを両側に備える。
−  各側壁は、取っ手を含む。
−  箱は、二枚の独立した内部強化側面パネルをさらに含み、特に、側壁の内面と接触して連係し、箱の垂直方向の耐性を強化する。
【００１５】
本発明はさらに、少なくとも二つの段ボールのブランクを、すなわち、固定タブが末端をなし、かつ第一の折り線によって互いに平行に連結される少なくとも四つの一連の主フラップ、すなわち前面フラップ、後面フラップ及び二つの側面フラップを含む、特に箱の蓋を形成するための第一のブランクであって、一連のフラップが、箱の外壁を形成し、第一の折り線に対して垂直な第二の折り線によって一辺において一連のフラップに連結され、前記一連のフラップが、特に箱の上部を少なくとも部分的に形成するためのものであり、対応する側面フラップの上縁にそれぞれ連結される二つの対向する第二のプラットフォーム構成のフラップを含むものである第１のブランクと、その側部に第一のフラップが設けられた中央パネルを含み、トレイの形状で箱の底面部を形成する第二のブランクとを含む、収容物をパッケージして輸送するための箱を形成するためのブランクのセットであって、前面フラップ及び後面フラップがＵ字型であり、中央開口上部によって画定され、特に、ユーザが側面から及び／又は上部から箱の内部の収容物を手で掴むことが可能になり、第二のブランクに対面する二つの第一のフラップが、その各側端に、第一の隣接するフラップにそれぞれ固定されて前記トレイを形成するように意図されたタブを含み、蓋の前壁、後壁又は側壁の少なくとも一つが、壁に垂直な力を加えることによって得られる手作業での分離による蓋の壁とトレイの第一のフラップとの間の分離を可能にする、一つ以上の部分的なプレカット部及び／又は一つ以上の接着部によって、トレイの第一の対応する側面フラップに単に固定されるように構成されることを特徴するブランクのセットを、さらに提案する。
【００１６】
有利な実施態様では、前面パネル及び後面パネルは、対応する開口の中間又はほぼ中間に位置付けられた、たとえば切り離し可能な中央補強バーを含む。
【００１７】
有利なことには、部分的なプレカット部は、全部で少なくとも二つであり、箱の側壁の両側にそれぞれ位置付けられる。
【００１８】
有利な実施態様では、第二のブランクの第一のフラップは、最終的に接合される前に、箱を形成して確定された寸法の容積の周囲に巻くことによって、第一のブランクに固定されるように構成される。
【００１９】
有利なことには、第一のブランクは、八つのフラップ、すなわち、特に箱のカットされた角を形成するための中間フラップによって互いに分離される四つの主フラップを有する。
【００２０】
本発明は、段ボールではないか又は段ボールであるシート素材の少なくとも二つのブランクから、すなわち、固定タブが末端をなし、第一の折り線によって互いに平行に連結される、少なくとも四つの一連の主フラップを含む第１のフラップであって、一連のフラップが箱の外壁を形成し、かつ第一の折り線に対して垂直な第二の折り線によってその一辺で一連のフラップに連結され、前記一連のフラップが、前記箱の上部を形成する第一のブランクと、第三の折り線によって互いに連結された少なくとも二枚のパネル、すなわち第一のパネル及び一つ以上の第二のパネルを含み、底トレイの形状で箱の底面を形成する第二のブランクとから、多角形断面のパッケージ用箱を製造するための方法であって、箱が、確定された容積の周囲にブランクを巻くことによって形成され、二枚の強化シートが、マンドレル上にぴったりと配置され、その後、マンドレルを、製作されるパッケージ内に挿入して、マンドレルを取り除くことにより、箱内部に強化部として残されることを特徴とする方法を、さらに提案する。
【００２１】
詳細な説明
本発明は、以下に続く、限定しない実施例によって以下に示された実施形態の記述を読むことから、より良く理解されよう。
【００２２】
記述は、添付の図面を参照する。
【００２３】
図１は、平行六面体の箱１を示し、たとえば、重量のある対象物、たとえば家庭用製品のびん又は缶詰食品を含む収容物（図示せず）をパッケージするための、たとえば厚さ３ｍｍの両面段ボールシート製である。
【００２４】
箱１は、フラップの側面帯２、すなわちＵ字型の前面フラップ３と、同様にＵ字型の後面フラップ４と、同一の、な矩形な、平行な折り線７によって互いに連結された二つの側面フラップ５及び６とを含む。
【００２５】
さらに、矩形又はほぼ矩形の第一のフラップ１０が各辺に設けられた中央パネル９によって形成される底面部８を含み、隣接するフラップの外縁に接着されたタブ１０’を備えた二つの対向するフラップを含み、堅固なトレイを形成する。
【００２６】
トレイを形成する底面部は、両辺で、開放する部分的なプレカット部Ｐによって、及び／又は図４及び５において破線で示された接着部Ｃによって、蓋を形成する側面帯の下部に接合される。
【００２７】
このプレカット部は、隣接する壁に単独で接着され、したがって蓋から容易に分離できる。
【００２８】
箱は、折り線に向けた開口を有するプラットフォームを形成し、周辺側縁に突出部又は突起部１４、１５がそれぞれ設けられた、二つの対向する第二のフラップ１２及び１３を有する上部１１を含み、これにより必要な対抗圧力を加えて、第三のフラップの外面に第二のフラップを接着させることが可能になる。
【００２９】
実際には、箱１の上部は、ほぼＴ字型である二つの第三のフラップ１６、１７をさらに含み、その底面部は折り線１８によって、対応する側面５、６に連結され、折り線から離れた側端に曲線的な開口１９を含み、一方で、第二のフラップを折り返して箱を形成することが可能になり、他方で、第二の逆Ｕ字型フラップのオープンワーク部２０は自由な状態であることが可能になり、第三のフラップ１６、１７はさらに、第一のフラップの底面に接着される。
【００３０】
第三のフラップ１６、１７は、側面のフラップの幅の半分よりも狭い幅を有する。
【００３１】
箱の上部は、一部分が全体にわたってオープンワークであり、結果として、二つの開口２１、すなわち前面フラップ３及び後面フラップ４のＵ字のオープンワーク部２２を有する部分を含み、ユーザが容易に箱の中を直接手で掴むことが可能になるが、このような構造であっても、全体が堅固であるように考慮されている。
【００３２】
図２は、図１の箱１を作成するために用いられたブランクのセット２、８を示す。以下の記述を簡略化するため、同じ参照番号を用いて、同じ要素又は同様の要素を表す。側面帯２は、一続きの他のフラップを連結しているものと平行な折り線によって、隣接する側面フラップ７に連結された矩形の接着タブ７’が末端をなす。
【００３３】
図３は、フラップの側面帯の変形例２３を、図２のものと比較して示し、折り線１８上に位置付けられた開口２４を有し、スタッブ１４、１５と相補的な形状であり、特にスナップフィットによってスタッブと係合する。
【００３４】
ここで、Ｕ字型開口の中には、水平な補強用ボール紙片２５が、たとえばフラップの３分の２又は４分の３の高さに設けられ、前面フラップ又は後面フラップと第二のフラップ１２及び１３との間の接合線にかかる開口の上部２６と、開口の下部２７とを区切る。
【００３５】
第二のフラップ１２、１３に、第三のフラップ１６、１７を接着することにより、組み立て品を補強して、側面が歪むことを防止することが可能になる。
【００３６】
図４及び５は、本発明のセット２８のもう一つの実施形態を示し、ここでは、第二のフラップ２９は、第二のフラップ１２、１３と全体的に同一形状であり、その側縁上の各側部に延長しており、隣接する側面５、６に向かって折ることができるタブ３０を備える。
【００３７】
より詳細には、これらのタブは、側面フラップの外面上に引き戻して接着されるように設けられ、箱を積み重ねることができるようにプラットフォームを留め付けて、収容物を部分的に空にした後のパレット上での耐久性さらに向上させることが可能になる。
【００３８】
図６及び７は、八面の箱３１の正面図及び斜視図である。
【００３９】
図６は、平らに置かれた、本発明の八面の実施形態を作るためのシート材料の第一のブランク３２と、図７に示された箱の底トレイを形成するための第二のブランク３３とを示す。
【００４０】
より詳細には、ブランク３２は、予め形成された、平行な折り線４２によって二つずつ連結された、八つの配列された一連の矩形フラップ３４、３５、３６、３７、３８、４０、４１を含む。
【００４１】
連続したフラップの最端のフラップ４１の自由縁に沿って、上記の折り線４２と平行な折り線によって最端のフラップに連結されたタブ４３がある。
【００４２】
さらに、連続したフラップの一側には、第一のフラップ４４、４５、４６、４７が設けられる。
【００４３】
第一のフラップはそれぞれ、予め形成された折り線４８によって、対応する主フラップに蝶番式に取り付けられる。
【００４４】
これらの折り線は、配列されるかほぼ配列され、折り線４２に対して垂直である。
【００４５】
矩形フラップは、すべて同じ高さであるか又はほぼ同じ高さである。
【００４６】
これらは、一方で、矩形の箱の側壁を形成することを意図し、互いに同一であり、取っ手４９が設けられたフラップ３７及び４１と、壁と、それら自体が折り線に向かって開放し、箱の上部の一部を形成することを意図した、隣接するフラップ４４及び４６との間の対応する折り線４８にかかるオープンワーク部５０が設けられた前壁及び後壁を形成することを意図したフラップ３５及び３９と、他方で、特に蓋のカットされた角を形成するための中間フラップ３４、３６、３８及び４０とを含む。
【００４７】
このブランクは、フラップを接合したあと、巻きつけて図７の箱を形成することを意図する。
【００４８】
第二のブランク３３は、対になって対向する第三の矩形フラップ５３及び５４、すなわち横タブのない二つの小フラップ５３と、両側が第一のタブ５５で末端をなす二つの大フラップ５４とを有する、側面及び前面後面に対応するそれぞれの主側５２上に設けられた八角形の底面部５１を含み、底トレイが第二のブランクの下部５７の周囲に形成される（それ自体の上に折りまげられて箱３１の蓋を形成する）とき、タブ５５は第二のタブ５６に連結されてかみ合わされ、トレイのカットされた角、すなわち最も端にあるタブ５６は、第二のブランクのその他二つの対面する側面に対応する、隣接する小矩形フラップ５３に接着される。
【００４９】
第一のフラップは一般に、図２及び３のフラップ１２、１３及び１６、１７のように矩形であるが、その側端で、両側で、少なくとも一部の上で、及びフラップを接合している折り線４８から、外側に向かって傾斜する部分５８をさらに含む。
【００５０】
図６の実施形態では、主側面の対応する開口５０に、切り離すことができるタブ又は水平な強化片５９がさらに設けられる。
【００５１】
同様に、図６のブランクに関し、フラップの接続のために、折り線上に位置付けられた対応する開口６１にスナップフィットさせるための横スタッブ６０が設けられる。
【００５２】
本発明では、パッケージの少なくとも一面上の、有利には二つの側面上の二点の接着部６２、及び／又は、たとえばフラップ５３上の閉塞されたプレカット部６３を用いて、トレイと蓋の底面部との間の接合がさらに提供される。
【００５３】
図８及び９は、本発明による、八面を有するブランク６４及び箱６５のセットの、もう一つの実施形態を示す。
【００５４】
ここで、第一のフラップの実施形態は、図４及び５に関連する第一のフラップ２９のものと同様であり、当然ながら、図６に関連してここで述べられたような、カットされた角を形成する中間フラップを考慮に入れている。
【００５５】
横タブ６７がこのように設けられて側壁６８に接着され（図９参照）、全体を補強する。
【００５６】
図１０、１１及び１２は、本発明のブランクのセット７０、７１及び箱７２の、もう一つの実施形態を示し、ここでは、蓋、又は三つのパネルを含む第一のブランクを含む。
【００５７】
より詳細には、矩形又はほぼ矩形の中央パネル７５が提供されて蓋の上面を形成し、箱の前壁及び後壁を少なくとも部分的に形成し、中央パネルに対して対称であり、箱の底面に向かうバーを有するＵ字型である二つの側面パネル７７、７８に、折り線７６によって横に連結され、側面パネルはそれぞれ、パネルのほぼ３分の２又は５分の４もしくは６分５の領域を占め、折り線７６に部分的にかかるほぼ矩形の大開口７９を有し、いったん図１１のように箱が形成されると、製品へのアクセスが可能になる。
【００５８】
側面パネル７７、７８及び中央パネル７５は、特に、側壁を少なくとも部分的に形成するための四つのフラップの各辺に設けられ、前記四つのフラップは、ほぼ矩形又は台形である。
【００５９】
図１０を参照して、より詳細には、ブランク７３は、同じ高さの二組の矩形又はほぼ矩形の側面フラップ８０、８１、８２、すなわち開口による取っ手８４を有する中央フラップ８１と、フラップ８１に対して対称的な二つのフラップ８０及び８２とを含み、それぞれに切り欠き８５が設けられ、取っ手をカバーする。
【００６０】
第二のブランクは、図２のブランクと同一か又は同様である。
【００６１】
図１２は、三つのパネルを有するブランクのもう一つの実施形態、すなわち図１０に関連して記述した中央パネルと同様の中央パネル７５と、同様に図１０に関連して記述した側面パネルと同一である二つの側面パネル７７及び７８とを示すが、ここでは、三つの部分の側面フラップ、すなわち、単一の折り線８７によって、対応する側面パネル７７、７８に直接接続された第一のフラップ８６と、二重の折り線８９によって第一のフラップに接続された第二のフラップ８８と、最初の二つに平行な最後の折り線９１を介して第二のフラップに接続された第三のタブ形成フラップ９０とを有する各側面にそれぞれ設けられる。
【００６２】
図１３は、本発明のもう一つの実施形態の、強化部を有する箱９２をどのようにして形成することができるかを示す。
【００６３】
箱は、図１に関連して記述したタイプのものであり、第一及び第二のブランクとともに、第一のマンドレル（図示せず）を同時に被覆することにより得られる。
【００６４】
（ステップＡ）まず、カットされた角を有する八角形セクションのマンドレル９３が提供されて平坦に置かれ、（ステップＢ）その両側には、中央面９５と二つのカットされた側方の角９６とを含む二枚のパネル９４が、八角形のマンドレルの表面９７上に配置される。
【００６５】
後者は、（ステップＣ）その後、ぴったりと配置されたパネルとともに引き下げられ、（ステップＤ）平行六面体の箱１の内部９８に、底面で止まるまで引き下げられる。
【００６６】
そして、（ステップＥ）マンドレルは、本来既知である方法で、横方向に縮小され、上方向に戻されて、ステップＦで、強化部９４が内部に残された箱９２を得る。
【００６７】
図１４は、均一に積み重ねられて製品１００が備えられた、図１の実施例の箱９９のパレット９８の斜視図である。
【００６８】
図に見られるように、上部１０２の中身の入った箱を保持したまま、下部１０１から製品１００を取り除くことが可能になる。
【００６９】
たとえば、パレットを全く不安定にすることなく、箱９９’、９９’’、９９’’’から所定の収容物が取り出され、消費者が見るために安定し、かつ好都合な状態を維持する。
【００７０】
このように、本発明によれば、収容物又は製品の完成したパレットを組み立てて店舗へ直接出荷し、消費者に収容物又は製品を引き渡されるままにディスプレイすることが可能であり、パッケージにいかなる処置も必要とせず、すなわち、側面を切り離す必要もなく、カッターを用いたり又はフラップを開放したりする必要もない。
【００７１】
形成、箱詰め及び閉塞は容易に機械化でき、すでに明記したように、パッケージが2つの部分からなるため、堅固な構造に好ましい軽量紙及び再生紙を用いることが可能であるし、また、一つは圧縮に耐性があり、もう一つは底面部の座屈に耐性がある二つのタイプのボール紙を用いることが可能になる。
【００７２】
明らかに、及び前述の結果として、本発明は、より詳細に記述された実施形態に限定されない。それどころか、全ての変形及び、特にブランクのセットが三つのブランクを含み、それぞれ底面部、蓋の上部及び蓋の側壁を形成するものを包含する。
【図面の簡単な説明】
【００７３】
【図１】本発明の箱の第一の実施形態の平面図である。
【図２】図１の箱を得ることができるブランクのセットの正面斜視図である。
【図３】本発明のブランクのセットのもう一つの実施形態の平面図である。
【図４】本発明のブランクのセットの第三の実施形態である。
【図５】図４のセットで得られる箱の斜視図である。
【図６】八面を有する本発明のセットの、第四の実施形態の平面図である。
【図７】図６のセットで得られる箱の斜視図である。
【図８】本発明の第五の実施形態に対応するブランクのセットの平面図である。
【図９】本発明の第五の実施形態に対応する形成された箱の斜視図である。
【図１０】第六の実施形態に対応するセットの平面図である。
【図１１】第六の実施形態に対応する形成された箱の斜視図である。
【図１２】本発明のブランクのセットの第七の実施形態の平面図である。
【図１３】本発明の一つの実施形態の、マンドレルを用いることによって強化部を有する箱を形成するステップを示す。
【図１４】本明細書でより詳細に記述された本発明の実施形態の、箱のパレットの斜視図である。
【図１】
2008543686.tif 000003
【図２】
2008543686.tif 000004
【図３】
2008543686.tif 000005
【図４】
2008543686.tif 000006
【図５】
2008543686.tif 000007
【図６】
2008543686.tif 000008
【図７】
2008543686.tif 000009
【図８】
2008543686.tif 000010
【図９】
2008543686.tif 000011
【図１０】
2008543686.tif 000012
【図１１】
2008543686.tif 000013
【図１２】
2008543686.tif 000014
【図１３】
2008543686.tif 000015
【図１４】
2008543686.tif 000016
【国際調査報告】
2008543686.tif 000017
2008543686.tif 000018
2008543686.tif 000019
2008543686.tif 000020